【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
コンピュータシステムであって、
コンピュータサーバと、
１つ以上のユーザ端末と、
コンピュータエントリのデータベースとを備え、
前記コンピュータエントリのそれぞれは、エンティティを表現するノードを定義するノードデータと、複数のリンクを定義するリンクデータを含み、
前記複数のリンクのそれぞれは、前記ノードと、別のエンティティを表現する別のノードとを接続し、かつ前記リンクに関連付けられている他のエンティティの属性を記述するタグデータと、前記属性及び前記他のエンティティに関連付けられている評判スコアとを有し、
前記システムは、
ｉ）検索リクエストを受信し、
ｉｉ）受信した前記検索リクエストに基づいて、前記コンピュータエントリを検索し、
ｉｉｉ）検索結果に関連付けられている評判スコアに基づいて検索結果をランク付けし、
ｉｖ）１つ以上のランク付けされた検索結果を出力する
ように動作可能であり、
前記評判スコアのそれぞれは、時間依存の重み付け関数に関連付けられていて、
異なる前記重み付け関数が、前記評判スコアに関連付けられている前記エンティティに依存する異なる評判スコアに適用される
ことを特徴とするコンピュータシステム。
【請求項２】
前記異なる重み付け関数は、前記異なる評判スコアを異なる割合で下げる
ことを特徴とする請求項１に記載のシステム。
【請求項３】
前記異なる重み付け関数は、複数のアクティブユーザに関連付けられている評判スコアを、低アクティブユーザに関連付けられている前記評判スコアにおける割合よりも早い割合で下げる
ことを特徴とする請求項２に記載のシステム。
【請求項４】
前記エンティティは、前記データベース内の他のエンティティとのリンクを作成することができ、
前記評判スコアに適用される重み付けは、前記評判スコアに関連付けられているリンクへ向かうノードによって表現されているエンティティによって与えられる時間期間に作成されるリンクの数に依存する
ことを特徴とする請求項１に記載のシステム。
【請求項５】
前記評判スコアに適用される重み付けは、前記エンティティによって与えられる時間期間に作成されるリンクの数の増加に応じて下がる
ことを特徴とする請求項４に記載のシステム。
【請求項６】
前記エンティティは、前記データベース内に記憶される前記評判スコアに投票することができる
ことを特徴とする請求項１乃至５のいずれか１項に記載のシステム。
【請求項７】
評判スコアに関連付けられているリンクへ向かうノードに関連付けられているエンティティは、前記評判スコアに投票することが禁止されている
ことを特徴とする請求項６に記載のシステム。
【請求項８】
評判スコアに関連付けられているリンクから向かうノードに関連付けられているエンティティは、前記評判スコアに投票することが禁止されている
ことを特徴とする請求項６または７に記載のシステム。
【請求項９】
前記エンティティは、評判スコアに可決投票するあるいは否決投票することができる
ことを特徴とする請求項６乃至８のいずれか１項に記載のシステム。
【請求項１０】
コンピュータサーバであって、
プロセッサを備え、
前記プロセッサは、
ユーザ端末からの検索リクエストを受信し、
受信した前記検索リクエストに基づいて、データベースのコンピュータエントリを検索し、
検索結果に関連付けられている評判スコアに基づいて検索結果をランク付けし、
１つ以上のランク付けされた検索結果を前記ユーザ端末へ出力する
ように動作可能であり、
前記データベースは、コンピュータエントリそれぞれに対して、エンティティを表現するノードを定義するノードデータと、複数のリンクを定義するリンクデータを記憶し、
前記複数のリンクのそれぞれは、前記ノードと、別のエンティティを表現する別のノードとを接続し、かつ前記リンクに関連付けられている他のエンティティの属性を記述するタグデータと、前記属性及び前記他のエンティティに関連付けられている評判スコアとを有し、
前記評判スコアのそれぞれは、時間依存の重み付け関数に関連付けられていて、
前記プロセッサは、前記検索結果をランク付けする前に、異なる前記重み付け関数を、前記評判スコアに関連付けられている前記エンティティに依存する異なる評判スコアに適用するように構成されている
ことを特徴とするサーバ。
【請求項１１】
前記異なる重み付け関数は、前記異なる評判スコアを異なる割合で下げる
ことを特徴とする請求項１０に記載のサーバ。
【請求項１２】
前記異なる重み付け関数は、複数のアクティブユーザに関連付けられている評判スコアを、低アクティブユーザに関連付けられている前記評判スコアにおける割合よりも早い割合で下げる
ことを特徴とする請求項１０に記載のサーバ。
【請求項１３】
前記重み付け関数それぞれは、１つ以上の指数関数によって定義される
ことを特徴とする請求項１０に記載のサーバ。
【請求項１４】
前記評判スコアに適用される重み付けは、前記検索リクエストが受信された時と、前記評判スコアが最後に更新された時との時間差に依存する
ことを特徴とする請求項１０乃至１３のいずれか１項に記載のサーバ。
【請求項１５】
前記エンティティは、前記データベース内の他のエンティティとのリンクを作成することができ、
前記評判スコアに適用される重み付けは、前記評判スコアに関連付けられているリンクへ向かうノードによって表現されているエンティティによって与えられる時間期間に作成されるリンクの数に依存する
ことを特徴とする請求項１０に記載のサーバ。
【請求項１６】
前記評判スコアに適用される重み付けは、前記エンティティによって与えられる時間期間に作成されるリンクの数の増加に応じて下がる
ことを特徴とする請求項１５に記載のサーバ。
【請求項１７】
前記プロセッサは、評判スコアの更新の後の所定の期間後、前記評判スコアに一定の重み付けを適用するあるいはしないように動作可能である
ことを特徴とする請求項１０乃至１６のいずれか１項に記載のサーバ。
【請求項１８】
前記評判スコアに適用される重み付けは、前記評判スコアの更新後の所定の期間の後に、該評判スコアがゼロに下げられるような重み付けである
ことを特徴とする請求項１０乃至１７のいずれか１項に記載のサーバ。
【請求項１９】
前記プロセッサは、投票エンティティからの評判スコアに対する投票を受信するように動作可能であり、かつ、受信した投票に基づいて、前記評判スコアを更新するように動作可能である
ことを特徴とする請求項１０乃至１８のいずれか１項に記載のサーバ。
【請求項２０】
前記プロセッサは、評判スコアに関連付けられているリンクへ向かうノードに関連付けられているエンティティが前記評判スコアに投票することを禁止するように動作可能である
ことを特徴とする請求項１９に記載のサーバ。
【請求項２１】
前記プロセッサは、評判スコアに関連付けられているリンクから向けられるノードに関連付けられているエンティティが前記評判スコアに投票することを禁止するように動作可能である
ことを特徴とする請求項１９または２０に記載のサーバ。
【請求項２２】
前記プロセッサは、前記投票エンティティに関連付けられているログインデータから、前記投票エンティティを識別するように動作可能である
ことを特徴とする請求項２０または２１に記載のサーバ。
【請求項２３】
前記エンティティは、評判スコアに可決投票するあるいは否決投票することができる
ことを特徴とする請求項１９乃至２２のいずれか１項に記載のサーバ。
【請求項２４】
所与のエンティティが前記評判スコアに可決投票することができる量には制限が設定されていて、
前記データベースは、エンティティによって評判スコアになされている投票に対する投票データを保持するように動作可能であり、
前記プロセッサは、前記投票エンティティによって行われている過去の投票について、前記制限に到達しているかを判定し、かつ前記評判スコアが前記投票に従って更新されるべきかどうかを判定するためのチェックを行うように動作可能である
ことを特徴とする請求項２３に記載のサーバ。
【請求項２５】
前記評判スコアのそれぞれは、該評判スコアが更新された最終日時を示すタイムスタンプに関連付けられていて、
前記プロセッサは、前記評判スコアの可決投票あるいは否決投票に応じて、前記タイムスタンプを更新するように動作可能である
ことを特徴とする請求項１９乃至２４のいずれか１項に記載のサーバ。
【請求項２６】
前記プロセッサは、１つ以上のユーザ端末から受信するユーザ入力に応じて、新規のノードデータ及び新規のリンクデータを生成するように動作可能である
ことを特徴とする請求項１０乃至２５のいずれか１項に記載のサーバ。
【請求項２７】
データベースであって、
複数のコンピュータエントリを備え、
前記コンピュータエントリのそれぞれは、
エンティティを表現するノードを定義するノードデータと、
複数のリンクを定義するリンクデータを含み、
前記複数のリンクのそれぞれは、前記ノードと、別のエンティティを表現する別のノードとを接続し、かつ前記リンクに関連付けられている他のエンティティの属性を記述するタグデータと、前記属性及び前記他のエンティティに関連付けられている評判スコアとを有し、
前記評判スコアのそれぞれは、時間依存の重み付け関数に関連付けられていて、
前記データベースは、異なる前記重み付け関数を、前記評判スコアに関連付けられている前記エンティティに依存する異なる評判スコアに適用するように構成されている
ことを特徴とするデータベース。
【請求項２８】
ユーザ端末から検索リクエストを受信するステップと、
受信した前記検索リクエストに基づいて、コンピュータエントリのデータベースを検索するステップであって、前記データベースは、前記コンピュータエントリそれぞれに対して、エンティティを表現するノードを定義するノードデータと、複数のリンクを定義するリンクデータを記憶し、前記複数のリンクのそれぞれは、前記ノードと、別のエンティティを表現する別のノードとを接続し、かつ前記リンクに関連付けられている他のエンティティの属性を記述するタグデータと、前記属性及び前記他のエンティティに関連付けられている評判スコアとを有する、検索するステップと、
検索結果に関連付けられている評判スコアに基づいて前記検索結果をランク付けするステップと、
１つ以上のランク付けされた検索結果を前記ユーザ端末へ出力するステップと、
前記検索結果をランク付けする前に、異なる前記重み付け関数を、前記評判スコアに関連付けられている前記エンティティに依存する異なる評判スコアに適用するステップと
を備えることを特徴とする方法。
【請求項２９】
前記異なる重み付け関数は、前記異なる評判スコアを異なる割合で下げる
ことを特徴とする請求項２８に記載の方法。
【請求項３０】
コンピュータ端末であって、
プロセッサを備え、
前記プロセッサは、
検索リクエストを受信し、
受信した前記検索リクエストに基づいて、データベースのコンピュータエントリを検索し、
検索結果に関連付けられている評判スコアに基づいて検索結果をランク付けし、
１つ以上のランク付けされた検索結果を出力する
ように動作可能であり、
前記データベースは、コンピュータエントリそれぞれに対して、エンティティを表現するノードを定義するノードデータと、複数のリンクを定義するリンクデータを記憶し、
前記複数のリンクのそれぞれは、前記ノードと、別のエンティティを表現する別のノードとを接続し、かつ前記リンクに関連付けられているエンティティの１つの属性を記述するタグデータと、前記属性及び前記他のエンティティに関連付けられている評判スコアとを有すし、
前記評判スコアのそれぞれは、時間依存の重み付け関数に関連付けられていて、
異なる前記重み付け関数が、前記評判スコアに関連付けられている前記エンティティに依存する異なる評判スコアに適用される
ことを特徴とするコンピュータ端末。